(57)【要約】      （修正有）【課題】所謂洋式の便器の外周に取り付けるだけの簡単な構成により、尿のしずくに起因する悪臭の発生を有効に抑止できる防臭装置を提供する。【解決手段】吸水性を有する素材により帯状を成し、かつ袋状に形成され、一面には長さ方向に沿う開閉部１３が設けられた本体部１２を有し、この本体部内に、開閉部から吸臭剤を充填し、この本体部を取付け具１４により洋式の便器の高さ方向中間部の外周に分離可能に取り付ける。【選択図】図１
0003230000.tif 000002
【実用新案登録請求の範囲】
【請求項１】
吸水性を有する素材により帯状を成し、かつ袋状に形成され、一面には長さ方向に沿う開閉部が設けられた本体部と、
この袋状を成す前記本体部内に、前記開閉部から充填された吸臭剤と、
前記本体部に設けられ、この本体部を洋式の便器の高さ方向中間部の外周に分離可能に取り付ける取付け具と、
を備えたことを特徴とする防臭装置。
【請求項２】
前記取付け具は、前記本体部の他面に長さ方向に沿って設けられた接着部材であることを特徴とする請求項１に記載の防臭装置。
【請求項３】
前記取付け具は、前記本体部の両端に設けられ、前記本体部が前記便器の外周に緊縛状態で巻き付くように前記本体部の両端を連結する連結部材であることを特徴とする請求項１又は請求項２に記載の防臭装置。
【請求項４】
前記開閉部は、線ファスナーにより開閉可能に構成されていることを特徴とする請求項１に記載の防臭装置。
【請求項５】
前記開閉部には、面ファスナーが設けられ、開閉可能に構成されていることを特徴とする請求項１に記載の防臭装置。
【請求項６】
前記吸臭剤として、市販の粉状剤又は粒状剤を用いたことを特徴とする請求項１に記載の防臭装置。
【請求項７】
吸水性を有する素材により、シート材の厚さより大きな幅寸法を有する帯状に形成され、かつ袋状にも形成され、一面には長さ方向に沿う開閉部が設けられ、この開閉部はファスナーにより開閉可能に構成された本体部と、
この袋状を成す前記本体部内に、前記開閉部から充填された市販の流動性を有する吸臭剤と、
前記本体部の他面に長さ方向に沿って設けられ、この本体部を洋式の便器の高さ方向中間部の外周に密着状態で分離可能に取り付ける再使用可能な接着部材による取付け具とを備え、
前記本体部の両端に、この両端を連結する連結部材をさらに設けたことを特徴とする防臭装置。
【請求項８】
前記ファスナーとして、線ファスナー又は面ファスナーを用いたことを特徴とする請求項７に記載の防臭装置。
【請求項９】
前記連結部材として、フック又は面ファスナーを用いたことを特徴とする請求項８に記載の防臭装置。
【請求項１０】
前記吸臭剤として、市販の芳香剤を含む粉状剤又は粒状剤を用いたことを特徴とする請求項９に記載の防臭装置。
【請求項１１】
吸水性を有する素材により、シート材の厚さより大きな幅寸法を有する帯状に形成され、かつ袋状に形成され、一面には長さ方向に沿う開閉部が設けられ、この開閉部はファスナーにより開閉可能に構成された本体部と、
この袋状を成す前記本体部内に、前記開閉部から充填された市販の流動性を有する吸臭剤と、
前記本体部に設けられ、この本体部を洋式の便器の高さ方向中間部の外周に分離可能に取り付ける取付け具とを備え、
前記本体部の両端に、この両端を連結する連結部材をさらに設けたことを特徴とする防臭装置。
【請求項１２】
前記ファスナーとして、線ファスナー又は面ファスナーを用いたことを特徴とする請求項１１に記載の防臭装置。
【請求項１３】
前記連結部材として、フック又は面ファスナーを用いたことを特徴とする請求項１２に記載の防臭装置。
【請求項１４】
前記吸臭剤として、市販の芳香剤を含む粉状剤又は粒状剤を用いたことを特徴とする請求項１３に記載の防臭装置。
【考案の詳細な説明】
【技術分野】
【０００１】
本考案は所謂洋式の便器に取付けられる防臭装置に関する。
【背景技術】
【０００２】
一般に、トイレに設置される便器として、家庭用及び業務用を問わず、所謂洋式の便器が多く用いられるようになった。この便器は、本来、便座上に着座して使用することを想定したものである。しかし、男性が放尿する場合、便座を上げた状態で、立ったまま便器内に放尿する使用態様が多くみられる。このような使用態様では便器内に放尿しても、尿のしずくが便器外に飛び散り、便器の外面等に付着し、トイレ内に悪臭を発生させる要因となっていた。
【０００３】
従来、放尿時に飛び散るしずくへの対策として、便器が設置された床面に足元マットやしずく受けを設けることが考えられている（特許文献１参照）。
【０００４】
しかし、この対策は床面上の汚れ防止を主体としたもので、防臭用としてはあまり効果が期待できない。考案者が詳細に調査したところ、悪臭の発生要因は、便器外に飛び散った尿のしずくが、便器の縁に付着し、便器外周面を伝わって流下して、床と便器下部外周面との隙間に入り込んで蓄積され、悪臭を発することであると判明した。このように床と便器下部外周面との隙間に尿が入り込んだ場合、便器および床面を入念に清掃しても悪臭を十分に除去することは困難であった。
【０００５】
特許文献１では便器の外部に飛散し、便器下部およびその周囲の床面にたれる尿を、足元マットや尿しずく受けシートにより床面上で受けるものであり、防臭対策としては不十分であった。すなわち、床面が尿しずくで汚れることを防止することが主目的であり、このような構成では便器外周面を伝わって流下した尿のしずくは便器最下部まで達する。便器最下部には尿しずく受けシートが設けられ、これによって便器外周面を伝わって流下する尿しずくを受けることは可能ではあるが、薄いシート材の端面と便器下部外周面とをその全周にわたって密着させることは困難である。したがって、尿しずくの捕捉量は十分でなく両者の隙間から漏れて、床と便器下部外周面との隙間に入り込み悪臭の発生源となる。
【０００６】
また、足元マットやしずく受けは、家庭用としては設置可能であるが、業務用としては設置困難である。すなわち、公共施設など、業務用のトイレの場合、便器の設置された床面は土足で使用され、さらに、水でぬれている場合が多く、床面上に足元マットやしずく受けを設けることは実質的に困難である。
【先行技術文献】
【特許文献】
【０００７】
【特許文献１】特開２００２−２０９７９９号公報
【考案の概要】
【考案が解決しようとする課題】
【０００８】
所謂洋式の便器への放尿時における尿のしずくの飛び散りに起因する悪臭への有効な対策が無かった。
【０００９】
本考案は所謂洋式の便器の外周に取り付けるだけの簡単な構成により、尿のしずくに起因する悪臭の発生を有効に抑止できる防臭装置を提供することにある。
【課題を解決するための手段】
【００１０】
本考案の実施の形態に係る防臭装置は、吸水性を有する素材により帯状を成し、かつ袋状に形成され、一面には長さ方向に沿う開閉部が設けられた本体部と、この袋状を成す本体部内に、前記開閉部から充填された吸臭剤と、前記本体部に設けられ、この本体部を所謂洋式の便器の高さ方向中間部の外周に分離可能に取り付ける取付け具とを備えたことを特徴とする。
【００１１】
上記構成によれば、便器の外面に付着して、その外面を流下する尿のしずくを捕捉し、吸臭することにより、悪臭の発生を有効に抑止することができる。すなわち、特許文献１のように、便器の外部に飛散し便器下部およびその周囲の床面にたれる尿を尿しずく受けシートにより床面上で受けのではなく、本考案では、防臭装置の本体部を便器の高さ方向中間部の外周に巻き付け、尿のしずくが便器外周面を伝わって流下する途中で有効に捕捉し、床と便器下部外周面との隙間に入り込んで蓄積されることを防止するものである。特に、本体部は帯状であるため、シート材の厚さに比べ、充分大きな幅寸法を採れるため、特許文献１のしずく受けシートに比べ、便器の外面を流下する尿のしずくを確実、かつ大量に捕捉できる。さらに、袋状の本体部の内部には吸臭剤が充填されているので、捕捉した尿のしずくからに吸臭できるので悪臭の発生を効果的に抑止できる。
【図面の簡単な説明】
【００１２】
【図１】本考案の一実施形態に係る防臭装置を示す斜視図である。
【図２】一実施形態の使用例を示す図である。
【考案を実施するための形態】
【００１３】
以下、本考案の実施の形態について、図面を参照して詳細に説明する。図１で示す防臭装置１１は、図２で示すように所謂洋式の便器２１の外周に取り付けられて使用されるものである。
【００１４】
この防臭装置１１は、図１で示すように、吸水性を有する素材により帯状で、かつ袋状に形成された本体部１２を有する。この本体部１２の素材は吸水性を有するものであれば何でもよく、例えば、フェルト材や木綿材、或いはその他の布地、または紙材などが使用可能である。この本体部１２の一面には、開閉部１３が長さ方向に沿って設けられている。この開閉部１３は、ファスナー（例えば、ジッパーのような線ファスナー）等の開閉器具１３１により開閉可能に構成されている。なお、開閉器具１３１は線ファスナーに限らず、例えば、図示しないマジックテープ（登録商標）のような面ファスナーなどを用いてもよい。ようするに、容易に開閉操作可能なものであれば何でもよい。
【００１５】
この袋状を成す本体部１２内には、図示しないが吸臭剤が開閉部１３から全長に渡って充填されている。この吸臭剤としては、市販の流動性を有する粉状剤又は粒状剤を用いればよく、所謂芳香剤であってもよい。なお、袋状の本体部１２は、図示のように上下方向の幅を大きくとり、充分な量の吸臭剤を充填できるようにしている。また、本体部１２の、ファスナーなどの開閉器具１３１をよけた表面には、キャラクターなどを描いたりキャラクタシールを張り付けたりするスペースとして用いることができる。
【００１６】
本体部１２は、図２で示すように、所謂洋式の便器２１の高さ方向中間部（所謂首部）の外周に密着状態で巻き付けられ、本体部１２に設けられた取付け具１４により分離可能に取り付けられる。取付け具１４としては、図１で示すように、本体部１２の他面（開閉部１３が設けられた面の反対面）に、長さ方向に沿って接着部材１４１を設ける。接着部材１４１としては、例えば、再使用可能な粘着テープなどを用い、本体部１２を便器２１の首部外周に密着状態で取付ける。
【００１７】
また、取付け具１４としては、本体部１２の両端に連結部材１４２を設け、本体部１２の両端を互いに連結することにより、本体部１２が便器２１の首部の外周に緊縛状態で巻き付くように構成してもよい。連結部材１４２としては、図示のように互いに係合するフック状のものや、本体部の両端に面ファスナー状、或いは吸盤状の貼り合せ材を設けてもよい。
【００１８】
なお、取付け具１４としては、上述した接着部材１４１と連結部材１４２のいずれかを用いるか、或いはこれら双方を用いてもよい。
【００１９】
上記構成において、防臭装置１１は、使用時、図２で示すように便器２１の高さ方向中間部（以下、首部）に密着状態で取付けられる。すなわち、図１で示した袋状を成す本体部１２の開閉部１３を開き、その内部に市販の粉状又は粒状の吸臭剤（芳香剤を含む）を、長さ方向全体にいきわたるように充填し、開閉部１３を閉じる。そして、この状態の本体部１２を便器２１の首部の外周に密着状態で巻き付け、取付け具１４である接着部材１４１又は連結部材１４２のいずれか、又はそれらの双方を用いて取付ける。なお、取付け具１４として接着部材１４１又は連結部材１４２のいずれを用いるかは、便器２１の各種形状に応じて適宜選択する。
【００２０】
所謂洋式の便器２１は、前述したように、本来、便座上に着座して使用するものであるが、男性が放尿する場合、便座を上げた状態で、立ったまま便器内に放尿することが多い。このような場合、便器２１内に放尿しても、尿のしずくが便器２１外に飛び散り、便器２１の外面等に付着して悪臭を発生させていた。
【００２１】
便器２１の外面に付着した尿のしずくは、便器２１の外面上を下方に向って流下する。本考案では、この便器２１の外面を流下する尿のしずくは、便器２１の首部外周に密着状態で巻き付けられた防臭装置１１の本体部１２により捕捉される。本体部１２は、フェルト材などの吸水性を有する素材により作られており、帯状であることから尿しずくの流下方向に対して充分な捕捉幅が得られるので、便器２１の外面を流下する尿のしずくを確実に捕捉吸収することができる。すなわち、本体部１２は帯状であることから、シート材の厚さより充分大きな幅寸法を取ることができ、尿しずくの流下方向に対して充分な捕捉幅が得られる。また、本体部１２内には吸臭剤が充填されているので尿のしずくから発する臭いは吸臭される。
【００２２】
このように、尿のしずくは便器２１の首部の途中で捕捉され、最下端まで流下することはなく、首部外周の床面に付着してこの部分を汚して悪臭を放つことを防止できる。また、防臭装置１１の本体部１２は、便器２１の高さ方向中間部（首部）に取付けられるので、業務用トイレのように土足で使用されたり、床面が水でぬれていても、防臭装置１１が汚れたり水浸しになることはなく、確実に臭気抑制効果を得ることができる。さらにこの本体部１２は取り換え可能であるので、常に所定の防臭効果を得ることができる。
【００２３】
本考案のいくつかの実施形態を説明したが、これらの実施形態は例として提示したものであり、考案の範囲を限定することは意図していない。これら新規な実施形態は、その他のさまざまな形態で実施されることが可能であり、考案の要旨を逸脱しない範囲で、種々の省略、置き換え、変更を行うことができる。これらの実施形態やその変形は、考案の範囲や要旨に含まれると共に、実用新案登録請求の範囲に記載された考案とその均等の範囲に含まれる。
【符号の説明】
【００２４】
１１…防臭装置
１２…本体部
１３…開閉部
１３１…開閉器具
１４…取付け具
１４１…接着部材
１４２…連結部材
２１…便器
【図１】
0003230000.tif 000003
【図２】
0003230000.tif 000004